(57)【要約】      （修正有）【課題】店内での設置、撤去を簡単に行うことができ、軽量化を図って他の店舗への移送も容易に行うことができる自立式広告装置を提供する。【解決手段】紙基材を折り曲げ、接合することで長手方向の両端に開口部を設けた長尺な袋体として形成され、袋体内部に空間を設けて筒形状の立体形状に変形、或いは平坦形状に変形可能な立体広告部２と、立体形状に変形した立体広告部の長手方向の一端側を保持する紙基材からなる第１保持部４と、床１に設置される基台２０、及び前記基台から立ち上がって設けられて立体形状に変形した立体広告部の長手方向の他端側を保持する第２保持部を備えた紙基材からなる脚部５と、を備えている。【選択図】図１
0003219376.tif 000002
【実用新案登録請求の範囲】
【請求項１】
紙基材を折り曲げ、接合することで長手方向の両端に開口部を設けた長尺な袋体として形成され、袋体内部に空間を設けて筒形状の立体形状に変形、或いは平坦形状に変形可能な立体広告部と、
前記立体形状に変形した前記立体広告部の長手方向の一端側を保持する紙基材からなる第１保持部と、
床に設置される基台、及び前記基台から立ち上がって設けられて前記立体形状に変形した前記立体広告部の長手方向の他端側を保持する第２保持部を備えた紙基材からなる脚部と、を備え、
前記立体広告部を立設して上部とした長手方向の一端側の開口部に前記第１保持部を配置し、下部とした長手方向の他端側の開口部に前記脚部の前記第２保持部を配置して立体形状を保持し、前記脚部の前記基台を前記床に設置して前記立体広告部を自立させることを特徴とする自立式広告装置。
【請求項２】
前記第１保持部を形成する紙基材は、前記立体形状の筒形状と略同一形状の外郭形状を有する保持板と、前記保持板の周縁の一部に設けた接着部と、前記保持板及び前記接着部の間に設けた折り曲げ線と、を備え、
前記立体広告部の長手方向の一端側の開口部近くの内壁に前記接着部を接着し、前記立体広告部を前記立体形状に変形させたときには、前記保持板を前記立体広告部の長手方向の一端側の開口部を閉塞するように配置し、前記立体広告部を平坦形状に変形させたときには、前記保持板を前記折り曲げ線に沿って前記内壁側に折り畳むことを特徴とする請求項１記載の自立式広告装置。
【請求項３】
前記脚部を形成する紙基材は、本体基材と、リブ基材とを備えており、
前記本体基材は、長方形状の部材であり、長尺方向に本体底板、接合板及び支持板が連続して形成され、前記本体底板及び前記接合板の間を谷折りすることで前記本体底板及び接合板を当接させて互いに接合しており、前記接合板及び前記支持板の間を谷折りすることで前記支持板が前記本体底板から立ち上がった状態とし、前記基台及び前記支持板の一部に、前記支持板が延在する方向に対して直交する方向に沿う直線状の切り込み部が形成されているとともに、
前記リブ基材は長方形状の部材であり、長尺方向にリブ底板及びリブ板が連続して形成され、前記リブ底板及び前記リブ板の間を谷折りして形成され、
前記リブ底板を前記基台の底に当接し、前記リブ板を前記切り込み部に挿入することで前記支持板に直交して配置されており、
互いに接合された前記本体底板及び前記接合板が、前記床に設置される前記基台とされ、
前記支持板及び前記リブ板が、前記立体広告部の長手方向の他端側を保持する第２保持部とされていることを特徴とする請求項１記載の自立式広告装置。
【請求項４】
前記リブ板は、前記支持板の傾倒を防止しながら配置されていることを特徴とする請求項３記載の自立式広告装置。
【請求項５】
前記立体広告部を形成する紙基材は、剛性を有するコート紙やアート紙であり、
前記脚部を形成する紙基材は、ダンボール紙であることを特徴とする請求項１から４の何れか１項に記載の自立式広告装置。
【考案の詳細な説明】
【技術分野】
【０００１】
本考案は、自立式広告装置に関する。
【背景技術】
【０００２】
店内に陳列されている商品の宣伝を行うものとして、店内の商品が陳列されている陳列棚近くの床に自立させて使用する自立式広告装置がある（例えば特許文献１）。
特許文献１の自立式広告装置は、合成樹脂製で袋状に形成された伸縮自在な立体広告体と、立体広告体の底部に一体に設けた重りと、を備えている。
立体広告体には送排気栓が設けられており、送排気栓から空気を入れて立体広告体が膨らむと、底部に設けた重りで立体広告体が店内の床で自立する。そして、立体広告体の外面を広告宣伝媒体（ＰＯＰ）として使用するものである。
特許文献１の自立式広告装置は、店内の壁や商品棚などに取付けられる広告装置と比較して、店内を歩く顧客に目立つ位置に配置されるので、顧客の購買意欲を高めることができる。
【先行技術文献】
【特許文献】
【０００３】
【特許文献１】実用新案登録第３１３３２６９号公報
【考案の概要】
【考案が解決しようとする課題】
【０００４】
ところで、特許文献１の自立式広告装置は、立体広告体への空気の送気のために空気ポンプが必要となる。また、立体広告体は、底部に重りが設けられた重量物である。
したがって、特許文献１の自立式広告装置は、店内に設置する際には空気ポンプを使用して立体広告体を膨らませなければならず、設置作業に時間がかかる。また、他の店舗に移送する際には、空気ポンプと重量物の立体広告体を運ばなければならず、他の店舗への移送に手間がかかってしまう。
そこで、本考案は、上述した課題に着目してなされたものであり、店内での設置、撤去を簡単に行うことができ、軽量化を図って他の店舗への移送も容易に行うことができる自立式広告装置を提供することを目的としている。
【課題を解決するための手段】
【０００５】
上記目的を達成するために、本考案に係る自立式広告装置は、紙基材を折り曲げ、接合することで長手方向の両端に開口部を設けた長尺な袋体として形成され、袋体内部に空間を設けて筒形状の立体形状に変形、或いは平坦形状に変形可能な立体広告部と、立体形状に変形した立体広告部の長手方向の一端側を保持する紙基材からなる第１保持部と、床に設置される基台、及び前記基台から立ち上がって設けられて立体形状に変形した立体広告部の長手方向の他端側を保持する第２保持部を備えた紙基材からなる脚部と、を備えている。そして、立体広告部を立設して上部とした長手方向の一端側の開口部に第１保持部を配置し、下部とした長手方向の他端側の開口部に脚部の前記第２保持部を配置して立体形状を保持し、脚部の基台を床に設置して前記立体広告部を自立させている。
【考案の効果】
【０００６】
本考案に係る自立式広告装置によると、店内での設置、撤去を簡単に行うことができ、軽量化を図って他の店舗への移送も容易に行うことができる。
【図面の簡単な説明】
【０００７】
【図１】本考案に係る自立式広告装置を示す斜視図である。
【図２】（ａ）、（ｂ）は自立式広告装置の立体広告部を構成する紙基材の展開図である。
【図３】（ａ）は自立式広告装置の第１保持部を示し、（ｂ）は立体広告部を脚部に装着する状態を示し、（ｃ）は脚部の第２保持部に立体広告部の下部が保持されている状態を示す図である。
【図４】（ａ）、（ｂ）は自立式広告装置の脚部を構成する紙基材の展開図である。
【図５】（ａ）、（ｂ）は自立式広告装置の脚部を形成する手順を示す図である。
【考案を実施するための形態】
【０００８】
次に、図面を参照して、本考案の実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
また、以下に示す実施形態は、本考案の技術的思想を具体化するための装置や方法を例示するものであって、本発明の技術的思想は、構成部品の材質、形状、構造、配置等を下記のものに特定するものでない。本考案の技術的思想は、実用新案登録請求の範囲に記載された請求項が規定する技術的範囲内において、種々の変更を加えることができる。
なお、以下の説明で記載されている「上」、「下」、「底」、「前」、「後」、「長尺方向」、「短尺方向」等の方向を示す用語は、添付図面の方向を参照して用いられている。
【０００９】
図１は、店内の商品が陳列されている陳列棚近くの床１に設置されている自立式広告装置２を示すものである。
この自立式広告装置２は、円筒状の立体形状に変形している立体広告部３と、立体広告部３の立体形状を保持している第１保持部４と、立体広告部３を自立させる脚部５と、を備えている。そして、立体広告部３の外面に、ＰＯＰ情報を表示した広告部材ＰＯＰ１，ＰＯＰ２が設けられている。
【００１０】
［立体広告部及び第１保持部について］
立体広告部３は、剛性を有する厚紙で形成されている。立体広告部２の材料としては、印刷適性があり、適度な剛性を備えたコート紙やアート紙が使用されている。
立体広告部３は、図２（ａ），（ｂ）に示すように、厚紙を所定の形状に切断した第１広告部基材６及び第２広告部基材７で構成され、長尺方向の両端に開口部を設けた長尺な袋体として形成される。
図２（ａ）に示す第１広告部基材６は、厚紙を長方形状に形成した部材であり、右側短辺６ａに沿って所定幅の折り曲げ線Ｌ１が形成されている。折り曲げ線Ｌ１と右側短辺６ａとの間の領域は、接着部８とされている。折り曲げ線Ｌ１と左側短辺６ｂとの間の中間位置には、短辺方向に沿って折り曲げ線Ｌ２が形成されている。
【００１１】
図２（ｂ）に示す第２広告部基材７も、厚紙を第１広告部基材６と略同一形状の長方形状に形成した部材であり、右側短辺７ａに沿って所定幅の折り曲げ線Ｌ３が形成されている。折り曲げ線Ｌ３と右側短辺７ａとの間の領域は、接着部９とされている。
折り曲げ線Ｌ３と左側短辺７ｂとの間の中間位置には、短辺方向に沿って折り曲げ線Ｌ４が形成されている。また、第２広告部材７の上部長辺側には、折り曲げ線Ｌ４の縁部を境界として接着部１０，１１が長辺方向に並んで形成されている。
また、第１保持部４も、立体広告部３と同様に、コート紙やアート紙で形成されている。
【００１２】
第１保持部４は、図３（ａ）に示すように、保持板１２と、保持板１２の周縁の一部から延長して形成された接着部１３，１４と、保持板１２と接着部１３，１４の間に設けた折り曲げ線Ｌ５と、を備えている。
保持板１２は、立体広告部３が円筒状の立体形状に変形したときに、立体広告部３の内壁に接触して立体形状を保持する部材であり、立体形状に略同一形状の外郭形状を有している。
この保持板１２の外周には、所定の曲率半径Ｒの曲率辺１２ａが形成されているとともに、曲率辺１２ａに対向する側に、同一寸法の曲率半径Ｒで延在する折り曲げ線Ｌ５が形成されている。そして、折り曲げ線Ｌ５側に接着部１３，１４が形成されている。なお、接着部１３，１４の間には切断線１５が設けられている。また、保持板１２の曲率辺１２ａには、折り曲げ線Ｌ５に対して最も離間する位置に引き出し用切欠き部１６が形成されている。
【００１３】
次に、立体広告部３の組み立てと、立体広告部３への第１保持部４の取付けについて、図２（ａ），（ｂ）、図３（ｂ）を参照して説明する。
先ず、図２（ａ）に示すように、第１広告基材６の上部長辺６ｃ及び右側短辺６ａに寄った位置に、第１保持部４を配置する。そして、第１保持部７の接着部１３，１４を第１広告基材６に接着剤で接合する。
次に、第２広告基材７の接着部１０、１１を第１広告基材６の下部長辺６ｄ側に接着剤で接合する。これにより、第１広告基材６及び第２広告基材７は、折り曲げ線Ｌ１，Ｌ３、折り曲げ線Ｌ２，Ｌ４及び接着部８，９が一直線上に延在した状態で一体化される。
次に、一体化された第１広告基材６及び第２広告基材７を、折り曲げ線Ｌ２、Ｌ４に沿って谷折りすることで、第１保持部４を第１広告基材６の内側に位置させる。
【００１４】
次に、一体化された第１広告基材６及び第２広告基材７を、折り曲げ線Ｌ１，Ｌ３に沿って谷折りし、接着部８、９を左側短辺６ｂ，７ｂ側に接着剤で接合する。  これにより、第１広告基材６及び第２広告基材７からなる立体広告部３が、長尺方向の両端に開口部を設けた長尺な袋体として形成される。
そして、立体広告部３の長尺方向の一端側に配置した第１保持部４は、立体広告部３を円筒状の立体形状に変形させたときには、図３（ｂ）に示すように、引き出し用切欠き部１６に指を差し込んで保持板１２を立体広告部３の内壁側から引き出し、立体広告部３の長手方向の一端側の開口部を閉塞するように配置することで、保持板１２の外周（曲率辺１２ａ、折り曲げ線Ｌ５）が立体広告部３の内壁に接触した状態で立体形状を保持する。
また、立体広告部３を平坦形状に変形させるときには、保持板１２を折り曲げ線Ｌ５に沿って立体広告部３の内壁側に折り畳む。
【００１５】
［脚部について］
立体広告部３を自立させる脚部５は、図３（ｂ）に示すように、基台２０と、基台２０から立ち上がり、円筒状の立体形状に変形させた立体広告部３の長手方向の他端側を保持する第２保持部２１と、を備えている。
ここで、基台２０及び第２保持部２１を説明するため、脚部５の具体的な構成部材を説明する。
脚部５は、剛性を有するダンボール紙で形成されており、図４（ａ）に示す本体基材２２と、図４（ｂ）に示すリブ基材２３と、で構成されている。
【００１６】
本体基材２２は、図４（ａ）に示すように、長方形状の部材であり、長尺方向を略三等分する位置に短尺方向に沿って２本の折り曲げ線Ｌ６、Ｌ７が形成されている。これにより２本の折り曲げ線Ｌ６，Ｌ７の間に本体底板２４が形成され、この本体底板２４には、四角形状の開口部２４ａが形成されている。また、本体底板２４に対して折り曲げ線Ｌ６を挟んだ右側位置に第１重合板２５が形成され、本体底板２４に対して折り曲げ線Ｌ７を挟んだ左側位置に第２重合板２６が形成されている。
【００１７】
第１重合板２５には、折り曲げ線Ｌ６及び右側短辺２２ａの中間位置に折り曲げ線Ｌ８が形成されている。これにより、第１重合板２５は、折り曲げ線Ｌ６、Ｌ８の間に第１接合板２７が形成され、折り曲げ線Ｌ８及び右側短辺２２ａの間に第１支持板２８が形成されている。
第２重合板２６にも、折り曲げ線Ｌ７及び左側短辺２２ｂの中間位置に折り曲げ線Ｌ９が形成されている。これにより、第２重合板２６は、折り曲げ線Ｌ７、Ｌ９の間に第２接合板２９が形成され、折り曲げ線Ｌ９及び左側短辺２２ｂの間に第２支持板３０が形成されている。
【００１８】
第１重合板２５には、長手方向（図４（ａ）の左右方向）に直線状に延在し、短尺方向（図４（ａ）の上下方向）に平行に離間した２本の切り込み部３１，３２が形成されている。切り込み部３１は、折り曲げ線Ｌ８から第１接合板２７側に延在する切り込み部３１ａと、折り曲げ線Ｌ８から第２支持板２８側に延在する切り込み部３１ｂとで構成されている。切り込み部３２も、折り曲げ線Ｌ８から第１接合板２７側に延在する切り込み部３２ａと、折り曲げ線Ｌ８から第２支持板２８側に延在する切り込み部３２ｂとで構成されている。
【００１９】
第２重合板２６にも、長手方向に直線状に延在し、短尺方向に平行に離間した２本の切り込み部３３，３４が形成されている。切り込み部３３は、折り曲げ線Ｌ９から第２接合板２９側に延在する切り込み部３３ａと、折り曲げ線Ｌ９から第２支持板３０側に延在する切り込み部３３ｂとで構成されている。切り込み部３４も、折り曲げ線Ｌ９から第２接合板２９側に延在する切り込み部３４ａと、折り曲げ線Ｌ９から第２支持板３０側に延在する切り込み部３４ｂとで構成されている。
ここで、第１重合板２５の切り込み部３１及び第２重合板２６の切り込み部３３は、本体基材２２の短尺方向の同一位置に形成され、第１重合板２５の切り込み部３２及び第２重合板２６の切り込み部３４も、本体基材２２の短尺方向の同一位置に形成されている。
【００２０】
リブ基材２３は、図４（ｂ）に示すように、長方形状の部材であり、長尺方向を略三等分する位置に短尺方向に沿って２本の折り曲げ線Ｌ１０、Ｌ１１が形成されている。これにより２本の折り曲げ線Ｌ１０，Ｌ１１の間にリブ底板３５が形成されている。このリブ底板３５に対して折り曲げ線Ｌ１０を挟んだ上部短辺２３ａ側に第１リブ板３６が形成され、リブ底板３５に対して折り曲げ線Ｌ１１を挟んだ下部短辺２３ｂ側に第２リブ板３７が形成されている。
また、第１リブ板３６には、上部短辺２３ａからリブ底板３５に向う第１スリット３８が形成され、第２リブ板３７にも、下部短辺２３ｂからリブ底板３５に向う第２スリット３９が形成されている。
【００２１】
次に、脚部５の組み立てについて図５（ａ），（ｂ）を参照して説明する。
先ず、図５（ａ）に示すように、本体基材２２を折り曲げ線Ｌ６、Ｌ７に沿って谷折りし、次いで、折り曲げ線Ｌ８、Ｌ９に沿って谷折りすることで、本体底板２４に第１接合板２７及び第２接合板を対面させるとともに、第１支持板２８及び第２支持板３０同士を対面させる。
次に、図５（ｂ）に示すように、本体底板２４に第１接合板２７及び第２接合板を接着剤で接合する。
【００２２】
本体底板２４に第１接合板２７及び第２接合板が接合されたことで、第２接合板２９に形成した切り込み部３３ａと第１接合板２７に形成した切り込み３１ａとが、直線状に延在しながら本体底板２４に形成した開口部２４ａ内に位置する。また、第２接合板２９に形成した切り込み部３４ａと第１接合板２７に形成した切り込み３２ａも、直線状に延在しながら本体底板２４に形成した開口部２４ａ内に位置する。
また、第１支持板２８及び第２支持板３０は、図５（ｂ）に示すように矢印Ａ方向に傾倒自在とされながら互いに当接する。そして、第１支持板２８及び第２支持板３０の切り込み３３ｂ、３１ｂは対向し、切り込み３４ｂ、３２ｂも対向する。
【００２３】
次に、図５（ｂ）に示すように、リブ基材２３の折り曲げ線Ｌ１０、Ｌ１１を谷折りすることで、リブ底板３５に対して第１リブ板３６及び第２リブ板３７が平行に延在した形状とする。
次に、リブ基材２３の第１リブ板３６を、本体基材２２の開口部２４ａ内で直線状に延在している切り込み部３３ａ、切り込み３１ａに差込む。また、第２リブ板３７を、本体基材２２の開口部２４ａ内で直線状に延在している切り込み部３４ａ、切り込み３２ａに差込む。
【００２４】
そして、リブ基材２３のリブ底板３５が本体底板２４の開口部２４ａ内に位置し、第１リブ板３６の第１スリット３８に第１支持板２８及び第２支持板３０が入り込み、第２リブ板３７の第２スリット３９に第１支持板２８及び第２支持板３０が入り込む。これにより、リブ基材２３は、１支持板２８及び第２支持板３０に対して直交して延在する第１リブ板３６及び第２リブ板３７が、第１支持板２８及び第２支持板３０の矢印Ａ方向の傾倒を防止しながら本体基材２２に着脱自在に装着される（図３（ｂ）参照）。
ここで、脚部５の基台２０は、本体底板２４と、この本体底板２４に接合された第１接合板２７及び第２接合板で構成されている。
また、脚部５の第２保持部２１は、図３（ｃ）に示すように、第１支持板２８及び第２支持板３０と、これら第１支持板２８及び第２支持板３０に対して直交して延在している第１リブ板３６及び第２リブ板３７と、で構成されている。
【００２５】
［自立式広告装置の設置、撤去について］
次に、自立式広告装置２の設置手順について図３（ｂ）、（ｃ）を参照して説明する。
先ず、図３（ｂ）に示すように、立体広告部３の長尺方向の一端側に配置した第１保持部４の保持板１２に形成した引き出し用切欠き部１６に指を差し込み、保持板１２を立体広告部３の内壁側から引き出し、開口部を閉塞するように配置する。これにより、立体広告部３の長尺方向の一端側は円筒状の立体形状が保持される。
次に、立体広告部３を立設して長尺方向の一端側を上部とする。
次いで、図３（ｂ）に示すように、立設した立体広告部３の下部（長尺方向の他端側）の開口部に、床１に設置した脚部５の第２保持部２１を挿入する。
【００２６】
これにより、脚部５の第２保持部２１を構成している第１支持板２８、第２支持板３０、第１支持板２８及び第２支持板３０が、図３（ｃ）に示すように、立体広告部３の下部の開口部の内壁に接触することで、下部側の円筒状の立体形状を保持する。これにより、脚部５の基台２０が立設した立体広告部３を支持し、立体広告部３が自立した状態となる。
また、自立した自立式広告装置２を撤去する場合には、脚部５の第２保持部２１から立体広告部３の下部を引き抜く。次に、第１保持部４の保持板１２を折り曲げ線Ｌ５に沿って立体広告部３の内壁側に折り畳んだ後、立体広告部３を平坦形状に変形させる。また、脚部５のリブ基材２３を本体基材２２から引き抜くことで、本体基材２２、リブ基材２３を別部材とする。
これにより、撤去する際の自立式広告装置２は、平坦形状の立体広告部３、本体基材２２及びリブ基材２３のコンパクトな部材となる。
【００２７】
［自立式広告装置の効果について］
次に、本実施形態の自立式広告装置２の効果について説明する。
本実施形態の自立式広告装置２は、店内の商品が陳列されている陳列棚近くの床に自立して設置されている。この自立式広告装置２は、床１に設置した脚部５から円筒状の立体形状に保持された立体広告部３が立ち上がっており、立体広告部３の外面に、ＰＯＰ情報を表示した広告部材ＰＯＰ１，ＰＯＰ２が設けられているので、顧客の購買意欲を高めることができる。
また、立体広告部３を円筒状の立体形状に変形させるときには、長尺方向の一端側に配置した第１保持部４の保持板１２が立体形状を保持し、長尺方向の他端側は、脚部５に設けた第２保持部２１が立体形状を保持するので、立体広告部３の立体形状の変形作業を簡単に行うことができる。
【００２８】
また、立体広告部３を平坦形状に変形させるときには、長尺方向の一端側に配置した第１保持部４の保持板１２を立体広告部３の内壁側に折り畳み、長尺方向の他端側を、脚部５の第２保持部２１による保持状態を解除するだけで、立体広告部３の平坦形状の変形作業も簡単に行うことができる。
また、脚部５の基台２０及び第２保持部２１は、本体基材２２及びリブ基材２３を折り曲げ、接合しながら形成した簡便な構造なので、組み立てを容易に行うことができる。
さらに、自立式広告装置２を構成する立体広告部３及び脚部５は、立体広告部３がコート紙やアート紙で形成され、脚部５がダンボール紙で形成されており、軽量部材で形成されているので他の店舗などへの移送を容易に行うことができる。
【符号の説明】
【００２９】
１  床
２  自立式広告装置
３  立体広告部
４  第１保持部
５  脚部
６  第１広告部基材
６ａ  右側短辺
６ｂ  左側短辺
６ｃ  上部長辺
６ｄ  下部長辺
７  第２広告部基材
７ａ  右側短辺
７ｂ  左側短辺
８  接着部
９  接着部
１０，１１  接着部
１２  保持板
１２ａ  曲率辺
１３，１４  接着部
１５  切断線
１６  引き出し用切欠き部
２０  基台
２１  第２保持部
２２  本体基材
２３  リブ基材
２４  本体底板
２４ａ  四角形状の開口部
２５  第１重合板
２６  第２重合板
２２ａ  右側短辺
２７  第１接合板（接合板）
２８  第１支持板（支持板）
２２ｂ  左側短辺
２９  第２接合板（接合板）
３０  第２支持板（支持板）
３１，３２  切り込み部
３１ａ  切り込み部
３１ｂ  切り込み部
３２ａ  切り込み部
３２ｂ  切り込み部
３３，３４  切り込み部
３３ａ  切り込み部
３３ｂ  切り込み部
３４ａ  切り込み部
３４ｂ  切り込み部
Ｌ１０、Ｌ１１  折り曲げ線
３５  リブ底板
２３ａ  上部短辺
３６  第１リブ板
２３ｂ  下部短辺
３７  第２リブ板
３８  第１スリット
３９  第２スリット
Ｌ１  折り曲げ線
Ｌ２  折り曲げ線
Ｌ３  折り曲げ線
Ｌ４  折り曲げ線
Ｌ５  折り曲げ線
Ｌ６、Ｌ７  折り曲げ線
Ｌ８  折り曲げ線
Ｌ９  折り曲げ線
ＰＯＰ１，ＰＯＰ２  広告部材
【図１】
0003219376.tif 000003
【図２】
0003219376.tif 000004
【図３】
0003219376.tif 000005
【図４】
0003219376.tif 000006
【図５】
0003219376.tif 000007